【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
キャリア（１０）と、該キャリアに設けられて一つまたはそれ以上の光学セキュリティ特性を形成する多層可撓性フィルム体（２、７０、９０、１０１）とを備える、特に、紙幣又は身分カードのセキュリティドキュメントであって、前記多層フィルム体（２、７０、９０、１０１）は、光学的に活性な回析構造（２４、４２，８４，８５，９６，９８，1０６）と結合してディスプレイエレメントを作動するための電流源（２３、７３、９６、１０４）と組み合わされて光学セキュリティ特性を発生する電気的に制御されたディスプレイエレメント（２１、７１、９１、９２、９３、１０２、１０３）を有し、
前記ディスプレイエレメントは、パターン又は数の形態で形成されたエレクトロクロミックエレメント（９１、９２、９３）を有するか、又はディスプレイエレメントは、二つの電極層（６１、６６）間に配置された色が異なり充電が異なる複数の粒子（６４、６５）を有することを特徴とするセキュリティドキュメント。
【請求項２】
回析構造（４２）および/又はマイクロ構造が電気的に制御されたエレメント（２１、９１）と重ねられた関係で少なくとも一部に配置され、前記回析構造（４２）および/又はマイクロ構造によって形成された光学効果の光学的外観は、電気的に制御されたディスプレイエレメントによって制御されることを特徴とする請求項１記載のセキュリティドキュメント。
【請求項３】
前記電気的に制御されたディスプレイエレメントは、発光ディスプレイエレメントであり、前記回析構造は、ディスプレイエレメントの発光特性を変更することを特徴とする請求項１又は２記載のセキュリティドキュメント。
【請求項４】
前記回析構造（８４、９７、１０６）は、前記電流源（７３、９６、１０４）と重なる関係で少なくとも一部に配置されていることを特徴とする請求項１乃至３の一つに記載のセキュリティドキュメント。       
【請求項５】
前記電流源（２３、７３、９６、１０４）が太陽電池であることを特徴とする請求項１乃至４の一つに記載のセキュリティドキュメント。
【請求項６】
前記回析構造（８４、８５）および/又はマイクロ構造は、太陽電池（８７）を囲む表面領域から太陽電池へ光を供給するかまたは太陽電池の効率を増大することを特徴とする請求項５に記載のセキュリティドキュメント。
【請求項７】
光を太陽電池へ供給する回析構造は、光学的に認識可能なセキュリティ特性を形成することを特徴とする請求項６記載のセキュリティドキュメント。
【請求項８】
前記太陽電池（９６）は、パターンまたは像の形態に形成され且つキャリアの包囲印刷設計と正確に整合する関係で配置されていることを特徴とする請求項５乃至７の一つに記載のセキュリティドキュメント。
【請求項９】
前記太陽電池（２３）は、部分的にパターン形態で刷り重ねられていることを特徴とする請求項５乃至８の一つに記載のセキュリティドキュメント。
【請求項１０】
前記回析構造は、ディスプレイエレメントに隣接して配置されていることを特徴とする請求項１記載のセキュリティドキュメント。
【請求項１１】
前記可撓性多層フィルム体およびセキュリティドキュメントの隣接領域には共通の実質的に不透明な刷り重ねがパターン形態で設けられていることを特徴とする請求項１乃至１０の一つに記載のセキュリティドキュメント。
【請求項１２】
前記パターン形態の刷り重ねは、特性を有する情報を含んでいることを特徴とする請求項１１に記載のセキュリティドキュメント。
【請求項１３】
前記ディスプレイエレメントは、パターン形態で部分的に刷り重ねられ、該刷り重ねは、好ましくは、特性を有する情報を含んでいることを特徴とする請求項１乃至１２の一つに記載のセキュリティドキュメント。
【請求項１４】
前記ディスプレイエレメントには、レーザー除去によって特性を有する情報が設けられることを特徴とする前記請求項１乃至１３の一つに記載のセキュリティドキュメント。
【請求項１５】
前記ディスプレイエレメント（２１、７１）は、パターン又は数の形態に形成された有機発光ダイオードを有することを特徴とする請求項１乃至１４の一つに記載のセキュリティドキュメント。
【請求項１６】
前記セキュリティドキュメントは、透明な窓（１０１）を有し、ディスプレイエレメント（１０２、１０３）は、前記透明な窓に配置されていることを特徴とする請求項１乃至１５の一つに記載のセキュリティドキュメント。
【請求項１７】
前記回析構造は、少なくとも一部が電子回路上に配置され、前記電子回路は、有機半導体エレメントから成り且つディスプレイエレメントを制御することを特徴とする請求項１乃至１６の一つに記載のセキュリティドキュメント。
【請求項１８】
前記多層フィルム体は、バッテリー又はエネルギ蓄積のためのキャパシタを有することを特徴とする請求項１乃至１７の一つに記載のセキュリティドキュメント。
【請求項１９】
前記可撓性多層フィルム体（２，４，５，６，７）は、光学回析セキュリティ特性を生ずるように形成された光学回析リリーフ構造（４２）を有する複製ラッカー層と、電気的に制御されたディスプレイエレメントの二つ以上の電気的機能層とを有することを特徴とする請求項１乃至１８の一つに記載のセキュリティドキュメント。
【請求項２０】
前記多層フィルム体は、有機半導体材料から成る少なくとも一つの電気機能層を有することを特徴とする請求項１６に記載のセキュリティドキュメント。
【請求項２１】
前記キャリア（１０）は、ペーパー材料から成ることを特性とする請求項１乃至２０の一つに記載のセキュリティドキュメント。
【請求項２２】
前記多層フィルム体（２、３０、６０、７０）は、転写フィルム（３、４、５、６、７）の転写層配置としてキャリアに設けられることを特徴とする請求項１乃至２１の一つに記載のセキュリティドキュメント。
【請求項２３】
一つまたはそれ以上の光学セキュリティ特性を形成する多層可撓性フィルム体（２、３０、６０、７０）をセキュリティドキュメント、特に紙幣または身分カードのキャリア（１０）に形成し且つキャリアフィルム（３１、７４）と前記多層フィルム体（２、３０、６０、７０）を形成する転写層配列とを有する転写フィルム（３、４、５、６、７）であって、前記多層フィルム体（２、３０、６０、７０）は、光学活性回析構造（２４、４２，８４，８５，９６，９８，1０６）と結合してディスプレイエレメントを作動するための電流源（２３、７３、９６、１０４）と組み合わされて光学セキュリティ特性を発生する電気的に制御されたディスプレイエレメント（２１、７１、９１、９２、９３、１０２、１０３）を有し、
前記ディスプレイエレメントは、パターン又は数の形態で形成されたエレクトロクロミックエレメント（９１、９２、９３）を有するか、又はディスプレイエレメントは、二つの電極層（６１、６６）間に配置された色が異なり充電が異なる複数の粒子（６４、６５）を有することを特徴とする転写フィルム（３，４，５，６，７）。
【手続補正２】
【補正対象書類名】明細書
【補正対象項目名】００４５
【補正方法】変更
【補正の内容】
【００４５】
図４ｂは、キャリアフィルム３１、剥離層３２、防護ラッカー層３３、透明な電極層３６、エレクトロルミネセント３８および電極層３９を有する転写フィルム４を示す。この場合に、エレクトロルミネセントポリマー層は、二つ以上の層又は複数の材料の混合物を有する層システムを含むことができる。ここでの電極層３９は、構成される反射金属層ではないが、透明な導電材料、例えば、インジウムスズ酸化物から成る層又は透明に見える格子状の材料層である。次いで、複製ラッカー層３４は、透明電極層３９に設けられ、回析構造４２は、複製ラッカー層３４に形成される。次いで、反射層４３、好ましくは、反射金属層又は反射増大層、例えば、図４aおよび図４ｂに示されたように層３５が層３４に設けられる。このような方法で、ディスプレイエレメント２１は、キャリア１０に形成された透明な窓に配置される限り、セキュリティドキュメントの前側の方向および後側の方向の両方に光を放出することができる。
次いで、図４aに示された接着層４１が設けられる。
【手続補正３】
【補正対象書類名】明細書
【補正対象項目名】００６０
【補正方法】変更
【補正の内容】
【００６０】
更に、リリーフ構造についての適切な構造は、図５a乃至図５ｃを参照して後述される如き、太陽電池の方向に太陽電池を囲む表面領域からの光を供給する可能性を提供する。